(57)【要約】【課題】絶縁ハウジングに配線板状部材が差し込まれるコネクタ装置であって、差し込まれた配線板状部材についての不所望な抜脱を阻止するための係止を、絶縁ハウジングの構造の複雑化や高精度化をまねくことなく、確実かつ安定に行えるものを提供する。【解決手段】絶縁ハウジング（１１）と、絶縁ハウジング内に配された複数のコンタクト（１３，１４）と、複数のコンタクトを絶縁ハウジングに差し込まれたフレキシブル印刷配線基板（ＦＰＣ）（２０）に接触させるアクチュエータ（１５）と，絶縁ハウジングに差し込まれたＦＰＣを係止する係止部材（１７，１８）とを備え、係止部材が絶縁ハウジングとは別体に形成されて可動部（３１，３６）を有し、可動部が係合部（３３，３７）と自由端部（３４，３８）とをＦＰＣの板面に沿う方向において互いに逆向きに変位させる回動を行って、係合部をＦＰＣの切欠き係合部（２３，２４）に係合させる。【選択図】  図５
2011060459.tif 000002
【特許請求の範囲】
【請求項１】
板状部材差込み部が設けられた絶縁ハウジングと、
該絶縁ハウジング内に配列配置され、上記板状部材差込み部を通じて上記絶縁ハウジングに差し込まれた配線板状部材における複数の接続端子部に夫々対応する位置をとる複数のコンタクトと、
上記絶縁ハウジングに対して回動可能に設けられて上記複数のコンタクトに係合し、回動後の静止位置に応じて、上記複数のコンタクトに上記複数の接続端子部に対する押圧接触状態と該押圧接触状態から解放された状態とを選択的にとらせるアクチュエータと、
上記絶縁ハウジングにおける上記複数のコンタクトの配列方向の側端部に配され、上記絶縁ハウジングに差し込まれた配線板状部材の側端縁部に設けられた切欠き係合部に係合して該配線板状部材を係止する状態をとる係止部材と、
を備えて成り、
上記係止部材が、上記絶縁ハウジングに固定される固定部，一端部に上記切欠き係合部との係合状態をとる係合部が設けられるとともに他端部が自由端部とされたビーム状体を成す可動部、及び、該可動部を上記固定部に連結する連結部を有するものとして、上記絶縁ハウジングとは別体に形成され、上記可動部が、上記連結部を支点にして上記係合部と上記自由端部とを上記絶縁ハウジングに差し込まれた配線板状部材の板面に沿う方向において互いに逆向きに変位させる回動を行い得る状態におかれたもとで、上記係合部が上記配線板状部材の板面に沿う方向に変位して上記切欠き係合部に係合する状態をとることを特徴とするコネクタ装置。
【請求項２】
上記係止部材が、弾性材料をもって形成されることを特徴とする請求項１記載のコネクタ装置。
【請求項３】
上記係止部材が、上記絶縁ハウジングにおける上記複数のコンタクトの配列方向において相互対向する一対の側端部の夫々に配されることを特徴とする請求項１記載のコネクタ装置。
【請求項４】
上記係止部材における上記係合部が、上記板状部材差込み部を通じて上記絶縁ハウジングに差し込まれる配線板状部材に当接して、該配線板状部材に対する差込み案内を行う案内面を有していることを特徴とする請求項１記載のコネクタ装置。
【請求項５】
上記係止部材における上記係合部が上記絶縁ハウジングに差し込まれた配線板状部材の側端縁部における上記切欠き係合部外の部分に係合するとき、上記係止部材における上記自由端部が、上記アクチュエータに係合して該アクチュエータの回動を阻止することを特徴とする請求項１記載のコネクタ装置。
【請求項６】
上記係止部材における上記係合部が上記切欠き係合部に適正に係合するとき、上記係止部材における上記自由端部が、上記アクチュエータとの係合を解除して該アクチュエータの回動を妨げないことを特徴とする請求項５記載のコネクタ装置。
【請求項７】
上記アクチュエータが、上記絶縁ハウジングにおける上記側端部の近傍となる部分に、上記係止部材における上記自由端部との係合状態をとる切欠き部が設けられていることを特徴とする請求項５記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接続端子部を、他の配線基板等とされる他の電気部品に電気的に接続された状態とするため、配線板状部材に離脱を防止すべく係合する係止部材と接続端子部に押圧接触するコンタクトとを備えたコネクタ装置に関する。
【背景技術】
【０００２】
各種の電子機器に実装される比較的小型なフレキシブル印刷配線基板や平板状ケーブル等の配線板状部材は、種々の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接続端子部に接触する導電性のコンタクトを有していて、そのコンタクトを介して、配線板状部材に設けられた接続端子部を主配線基板に設けられた配線部に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部が設けられたものとされて主配線基板に配される絶縁ハウジングを有したものとされる。そして、その絶縁ハウジング内に配列配置されて設けられ、配線板状部材が差込み部を通じて絶縁ハウジングに差し込まれるとき、その配線板状部材に設けられた複数の接続端子部に夫々対応するものとなる複数のコンタクトと、絶縁ハウジングに対して回動可能に設けられ、回動せしめられるとき、配線板状部材に設けられた複数の接続端子部と複数のコンタクトとを相互に押圧接触させるアクチュエータとが備えられる。
【０００４】
アクチュエータは、全体が複数のコンタクトの配列方向に沿って伸びる形状を有し、例えば、絶縁ハウジングにおける差込み部が設けられた端縁部（説明の便宜上、正面端縁部という。）側に配されるもの、あるいは、絶縁ハウジングにおける正面端縁部に対向する反対側の端縁部（説明の便宜上、背面端縁部という。）側に配されるものとされる。
【０００５】
絶縁ハウジングにおける正面端縁部側に配されるアクチュエータ（以下、正面側アクチュエータという。）は、配線板状部材が差込み部を通じて絶縁ハウジングに差し込まれたもとで、配線板状部材の一部に覆い被さる方向とされる第１の方向に回動せしめられて、配線板状部材における複数の接続端子部が配された部分を複数のコンタクトに向けて押圧し、それにより、配線板状部材に設けられた複数の接続端子部の夫々に複数のコンタクトのうちの対応するものに対する押圧接触状態をとらせる。また、配線板状部材に設けられた複数の接続端子部の夫々が複数のコンタクトのうちの対応するものに対する押圧接触状態をとるもとで、上述の第１の方向とは逆の方向とされる第２の方向に回動せしめられると、配線板状部材における複数の接続端子部が配された部分に対する複数のコンタクトに向けての押圧を解除し、配線板状部材に設けられた複数の接続端子部の夫々を複数のコンタクトのうちの対応するものに対する押圧接触状態から解放する。
【０００６】
一方、絶縁ハウジングにおける背面端縁部側に配されるアクチュエータ（以下、背面側アクチュエータという。）は、カム部が設けられていて、そのカム部において複数のコンタクトの夫々と係合し、配線板状部材が差込み部を通じて絶縁ハウジングに差し込まれたもとで、配線板状部材における複数の接続端子部が配された部分から遠ざかる方向とされる第１の方向に回動せしめられて、カム部により複数のコンタクトの夫々における可動部を変位させ、それにより、当該可動部に配線板状部材に設けられた複数の接続端子部のうちの対応するものに対する押圧接触状態をとらせる。また、複数のコンタクトの夫々における可動部が配線板状部材に設けられた複数の接続端子部のうちの対応するものに対する押圧接触状態をとるもとで、上述の第１の方向とは逆の方向とされる第２の方向に回動せしめられると、カム部により複数のコンタクトの夫々における可動部を変位させ、当該可動部を配線板状部材に設けられた複数の接続端子部のうちの対応するものに対する押圧接触状態から解放する。
【０００７】
上述のような正面側アクチュエータを備えたコネクタ装置及び背面側アクチュエータを備えたコネクタ装置のいずれが用いられる場合にあっても、例えば、フレキシブル印刷配線基板とされる配線板状部材が、主配線基板に配された絶縁ハウジングに差込み部を通じて差し込まれたもとで、絶縁ハウジング内に配された複数のコンタクトと絶縁ハウジングに差し込まれた配線板状部材における複数の接続端子部とが相互押圧接触状態におかれ、それにより、配線板状部材が主配線基板との電気的接続状態におかれる。その際、複数のコンタクトと絶縁ハウジングに差し込まれた配線板状部材における複数の接続端子部との相互押圧接触状態が適正に維持されるためには、絶縁ハウジングに差込み部を通じて差し込まれた配線板状部材が、その状態を安定に維持することができ、絶縁ハウジングから不所望に抜脱されてしまうような事態をまねかないものとされることが必要とされる。
【０００８】
そのため、正面側アクチュエータあるいは背面側アクチュエータを備えたコネクタ装置であって、絶縁ハウジングに差込み部を通じて差し込まれた配線板状部材に係合して、当該配線板状部材の絶縁ハウジングからの不所望な抜脱を阻止する係止部材が設けられたものが従来提案されている（例えば、特許文献１及び特許文献２参照。）。
【０００９】
特許文献１に示されるコネクタ装置は、正面側アクチュエータを備えたコネクタ装置であって、絶縁ハウジングに差込み部を通じて差し込まれた配線板状部材の絶縁ハウジングからの不所望な抜脱を阻止する係止部材が設けられたものである。この特許文献１に示されるコネクタ装置にあっては、複数のコンタクトが配列配置された絶縁ハウジング（インシュレータ）に、それに設けられた差込み部を通じて、配線板状部材（接続部材）が差し込まれる。配線板状部材には、複数の接続端子部（導電部）が配列配置されるとともに、両側縁部における複数の接続端子部を挟む位置に一対の切欠き係合部（切り欠き部）が形成されている。絶縁ハウジングには、配列配置された複数のコンタクトを挟む位置に、一対の係止部材（ロックアーム）が絶縁ハウジングと一体形成されて設けられており、さらに、絶縁ハウジングに対して回動可能とされた正面側アクチュエータ（加圧部材）が取り付けられている。
【００１０】
そして、配線板状部材が、それにおける複数の接続端子部が配された部分が絶縁ハウジング内に配されるようにして、絶縁ハウジングに差込み部を通じて差し込まれると、一対の係止部材が、配線板状部材に設けられた一対の切欠き係合部に夫々係合して配線板状部材を係止し、当該配線板状部材の絶縁ハウジングからの不所望な抜脱を阻止する。その後、正面側アクチュエータが、配線板状部材における複数の接続端子部が配された部分に覆い被さる方向に回動せしめられて、配線板状部材における複数の接続端子部が配された部分を絶縁ハウジングに配された複数のコンタクトに向けて押圧し、それにより、配線板状部材に配された複数の接続端子部の夫々に複数のコンタクトのうちの対応するものに対する押圧接触状態をとらせる。
【００１１】
一対の係止部材の夫々は、絶縁ハウジングから伸びるアームバネ部とその先端に設けられた配線板状部材の切欠き係合部との係合を行うアーム突部とを有し、アーム突部には配線板状部材の側縁部分に係合してそれを案内するガイド溝が形成される、比較的複雑な構成をとるものとされている。
【００１２】
また、特許文献２に示されるコネクタ装置は、背面側アクチュエータを備えたコネクタ装置であって、絶縁ハウジングに差込み部を通じて差し込まれた配線板状部材の絶縁ハウジングからの不所望な抜脱を阻止する係止部材が設けられたものである。この特許文献２に示されるコネクタ装置にあっては、絶縁ハウジング（ハウジング）に差込み部（挿入口）を通じて配線板状部材（平板状ケーブル）が差し込まれる。配線板状部材には、複数の接続端子部（導電線）が配列配置されるとともに、両側縁部における複数の接続端子部を挟む位置に一対の切欠き係合部（係止用凹部）が形成されている。絶縁ハウジングには、配列配置された複数のコンタクト（第１の端子，第２の端子）を挟む位置に、一対の係止部材（係合部材／取付用補助金具／ネイル）が配されており、さらに、絶縁ハウジングに対して回動可能とされた背面側アクチュエータ（アクチュエータ）が取り付けられている。
【００１３】
そして、配線板状部材が、それにおける複数の接続端子部が配された部分が絶縁ハウジング内に配されるようにして、絶縁ハウジングに差込み部を通じて差し込まれると、一対の係止部材が、配線板状部材に設けられた一対の切欠き係合部に夫々係合して配線板状部材を係止し、当該配線板状部材の絶縁ハウジングからの不所望な抜脱を阻止する。その後、背面側アクチュエータが、配線板状部材における複数の接続端子部が配された部分から遠ざかる方向に回動せしめられると、複数のコンタクトの夫々における可動部が、回動するアクチュエータにより変位せしめられて、配線板状部材に設けられた接続端子部に押圧接触するものとされ、それにより、複数のコンタクトの夫々が配線板状部材に設けられた接続端子部のうちの対応するものとの押圧接触状態におかれる。
【００１４】
一対の係止部材の夫々は、本体部（ネイル本体部）と、本体部から伸びて絶縁ハウジングに固定される外側ビーム部と、本体部から伸び、絶縁ハウジングに差込み部を通じて差し込まれた配線板状部材の板面に直交する方向に移動可能とされた、内側ビーム部とを有している。そして、内側ビーム部に、配線板状部材の板面に直交する方向、即ち、配線板状部材の厚み方向に変位して、絶縁ハウジングに差込み部を通じて差し込まれた配線板状部材に設けられた切欠き係合部に係合するロック用突起部が設けられている。それにより、一対の係止部材の夫々は、それに設けられたロック用突起部を、絶縁ハウジングに差込み部を通じて差し込まれた配線板状部材に設けられた切欠き係合部に、配線板状部材の厚み方向において係合させることにより、配線板状部材を係止することになる。
【先行技術文献】
【特許文献】
【００１５】
【特許文献１】特開２０００−３０７８４号公報  （４〜６頁、図１〜９）
【特許文献２】特開２００８−２７７０６８号公報  （５〜７頁、図５，７〜１２）
【発明の概要】
【発明が解決しようとする課題】
【００１６】
上述の特許文献１に示されるコネクタ装置のような、正面側アクチュエータを備えたコネクタ装置であって、絶縁ハウジングに差込み部を通じて差し込まれた配線板状部材の絶縁ハウジングからの不所望な抜脱を阻止する係止部材が設けられたものにあっては、絶縁ハウジングに差込み部を通じて差し込まれた配線板状部材を係止する一対の係止部材が、それらの夫々が比較的複雑な構成をとる状況のもとで、絶縁ハウジングと一体形成されたものとして備えられる。それにより、絶縁ハウジングが、その構造が複雑で、特に一対の係止部材を含む構成部分に高精度が要されるものとなり、その結果、絶縁ハウジングの製作効率が悪く、コネクタ装置の製造コストが嵩むことになってしまうという問題がある。
【００１７】
また、上述の特許文献２に示されるコネクタ装置のような、背面側アクチュエータを備えたコネクタ装置であって、絶縁ハウジングに差込み部を通じて差し込まれた配線板状部材の絶縁ハウジングからの不所望な抜脱を阻止する係止部材が設けられたものにあっては、絶縁ハウジングに差し込み部を通じて差し込まれた配線板状部材についての絶縁ハウジングからの不所望な離脱を阻止するための係止部材による係止が、係止部材に設けられたロック用突起部が、絶縁ハウジングに差し込まれた配線板状部材の板面に直交する方向に変位して、当該配線板状部材における切欠き係合部に係合することにより行われる。
【００１８】
それにより、係止部材に設けられたロック用突起部は、絶縁ハウジングに差し込み部を通じて差し込まれた配線板状部材における切欠き係合部に、当該配線板状部材の厚み方向において係合することになり、係止部材に設けられたロック用突起部の配線板状部材における切欠き係合部との係合の深さは、配線板状部材の厚みに対応するものとされる。このようなもとで、例えば、配線板状部材がフレキシブル印刷配線基板である場合、通常、配線板状部材の厚みは、０．１〜０．３ｍｍ程度の極めて薄いものとされるので、斯かる際には、係止部材に設けられたロック用突起部の配線板状部材における切欠き係合部との係合が、極めて短い係合長をもった浅いものとされる。その結果、係止部材あるいは配線板状部材のわずかな変位あるいは変形が生じても、配線板状部材における切欠き係合部に係合した係止部材に設けられたロック用突起部が、その切欠き係合部から外れてしまう（切欠き係合部に対する係合を解除する）ことになり、絶縁ハウジングに差し込まれた配線板状部材についての絶縁ハウジングからの不所望な抜脱を阻止するための係止部材による係止が安定に行われないという不都合が生じる虞がある。
【００１９】
斯かる点に鑑み、本願の特許請求の範囲に記載された発明は、例えば、フレキシブル印刷配線基板等とされる配線板状部材の主配線基板への取付けに用いられる、板状部材差込み部が設けられた絶縁ハウジングと、絶縁ハウジング内に配列配置されて設けられる複数のコンタクトと、絶縁ハウジングに対して回動可能に配され、回動操作されて、複数のコンタクトに板状部材差込み部を通じて絶縁ハウジング内に差し込まれた配線板状部材における複数の接続端子部との押圧接触状態をとらせる位置と、複数のコンタクトを上述の押圧接触状態から解放する位置とを選択的にとるアクチュエータと、を備えたコネクタ装置であって、絶縁ハウジングに板状部材差込み部を通じて差し込まれた配線板状部材についての絶縁ハウジングからの不所望な抜脱を阻止するための係止を、絶縁ハウジングの構造の複雑化や高精度化をまねくことなく、確実かつ安定に行なうことができることになるものを提供する。
【課題を解決するための手段】
【００２０】
本願の特許請求の範囲における請求項１から請求項７までのいずれかに記載された発明（以下、本発明という。）に係るコネクタ装置は、板状部材差込み部が設けられた絶縁ハウジングと、絶縁ハウジング内に配列配置され、板状部材差込み部を通じて絶縁ハウジングに差し込まれた配線板状部材における複数の接続端子部に夫々対応する位置をとる複数のコンタクトと、絶縁ハウジングに対して回動可能に設けられ、回動後の静止位置に応じて、複数のコンタクトに、絶縁ハウジングに差し込まれた配線板状部材における複数の接続端子部に対する押圧接触状態とその押圧接触状態から解放された状態とを選択的にとらせるアクチュエータと、絶縁ハウジングにおける複数のコンタクトの配列方向の側端部に配され、絶縁ハウジングに差し込まれた配線板状部材の側端縁部に設けられた切欠き係合部に係合して配線板状部材を係止する状態をとる係止部材とを備えて成り、係止部材が、絶縁ハウジングに固定される固定部，一端部に絶縁ハウジングに差し込まれた配線板状部材における切欠き係合部との係合状態をとる係合部が設けられるとともに他端部が自由端部とされたビーム状体を成す可動部、及び、可動部を固定部に連結する連結部を有するものとして、絶縁ハウジングとは別体に形成され、可動部が、連結部を支点にして係合部と自由端部とを絶縁ハウジングに差し込まれた配線板状部材の板面に沿う方向において互いに逆向きに変位させる回動を行い得る状態におかれたもとで、係合部が配線板状部材の板面に沿う方向に変位して配線板状部材における切欠き係合部に係合する状態をとるものとされる。
【００２１】
特に、本願の特許請求の範囲における請求項５に記載された本発明に係るコネクタ装置にあっては、係止部材における係合部が絶縁ハウジングに差し込まれた配線板状部材の側端縁部における切欠き係合部外の部分に係合するとき、係止部材における自由端部が、アクチュエータに係合してその回動を阻止するものとされる。
【００２２】
上述のように構成される本発明に係るコネクタ装置にあっては、アクチュエータが、例えば、その全体が絶縁ハウジングに対して立ち上がった状態におかれる第１の静止位置とその全体が絶縁ハウジングに対して伏した状態におかれる第２の静止位置とを選択的にとるものとされる。
【００２３】
そして、アクチュエータが第１の静止位置をとるもとで、配線板状部材が絶縁ハウジングに板状部材差込み部を通じて差し込まれるとき、絶縁ハウジングにそれとは別体に形成されて配された係止部材が、それにおける可動部に設けられた係合部を、先ず、配線板状部材の側端縁部における切欠き係合部外の部分に係合させて、配線板状部材の絶縁ハウジングへの差込み移動を許し、その後、配線板状部材の絶縁ハウジングへの差込み移動の進行に伴って、配線板状部材の側端縁部に設けられた切欠き係合部に係合させて、配線板状部材を絶縁ハウジングからの不所望な離脱を阻止すべく係止する。その際、係合部は、切欠き係合部外の部分に係合する状態から切欠き係合部に係合する状態に移行するとき、配線板状部材の板面に沿う方向に変位する。従って、係合部は、配線板状部材の板面に沿う方向に変位して、切欠き係合部に係合する状態をとることになる。
【００２４】
係合部が切欠き係合部に係合する状態をとる際における係合部の変位を係止変位と呼ぶこととすると、係合部が係止変位を行って切欠き係合部に係合するとき、係止部材における可動部の自由端部が、配線板状部材の板面に沿う方向において係合部の係止変位とは逆向きに変位する。即ち、このとき、係止部材が、その連結部を支点にして係合部と自由端部とを絶縁ハウジングに差し込まれた配線板状部材の板面に沿う方向において互いに逆向きに変位させる回動を行うのである。
【００２５】
このようにして、係止部材が、それにおける係合部を切欠き係合部に係合させて、配線板状部材を係止したもとで、アクチュエータが第１の静止位置から第２の静止位置に移行すべく回動せしめられると、アクチュエータにより、複数のコンタクトが、係止部材により係止された配線板状部材における複数の接続端子部に対する押圧接触状態をとるものとされる。さらにその後、アクチュエータが第２の静止位置から第１の静止位置に移行すべく回動せしめられると、アクチュエータにより、複数のコンタクトが、係止部材により係止された配線板状部材における複数の接続端子部に対する押圧接触状態から解放された状態をとるものとされる。
【００２６】
特に、本願の特許請求の範囲における請求項５に記載された本発明に係るコネクタ装置においては、係止部材における係合部が絶縁ハウジングに差し込まれた配線板状部材の側端縁部における切欠き係合部外の部分に係合していて、係止変位を行っていない状態にあるときには、それに伴って、係止部材における可動部の自由端部も、配線板状部材の板面に沿う方向における係合部の係止変位とは逆向きの変位を行っていない。このとき、係止部材における自由端部は、アクチュエータに係合する位置におかれ、それにより、アクチュエータの、例えば、第１の静止位置から第２の静止位置に向かう回動を阻止する。
【発明の効果】
【００２７】
本発明に係るコネクタ装置においては、上述のように、絶縁ハウジングに板状部材差込み部を通じて差し込まれた配線板状部材についての絶縁ハウジングからの不所望な抜脱を阻止するための係止が、絶縁ハウジングとは別体に形成されて絶縁ハウジングに配された係止部材によって行われる。そして、係止部材による配線板状部材についての係止が行われるときには、係止部材における可動部に設けられた係合部が、配線板状部材の板面に沿う方向の係止変位を行って配線板状部材の側端縁部に設けられた切欠き係合部に係合する。
【００２８】
このように、絶縁ハウジングに板状部材差込み部を通じて差し込まれた配線板状部材を係止する係止部材は、絶縁ハウジングに固定される固定部，一端部に係合部が設けられるとともに他端部が自由端部とされたビーム状体を成す可動部、及び、可動部を固定部に連結する連結部を有するものとして、絶縁ハウジングとは別体に形成されて、絶縁ハウジングに配されるので、絶縁ハウジングの構造の複雑化や高精度化をまねくことがない。その結果、係止部材が絶縁ハウジングの製作効率を悪化させることがなく、コネクタ装置の製造コストの低減を図ることが可能とされる。
【００２９】
また、本発明に係るコネクタ装置においては、係止部材による配線板状部材についての係止が行われるとき、係止部材における可動部に設けられた係合部が、配線板状部材の板面に沿う方向の係止変位を行って配線板状部材の側端縁部に設けられた切欠き係合部に係合する。その際、係止部材における係合部は、配線板状部材に設けられた切欠き係合部に、当該配線板状部材の板面に平行な方向、即ち、当該配線板状部材の厚み方向に直交する方向において係合する。それゆえ、係合部の切欠き係合部との係合が十分な係合長をもって行われ、例えば、係止部材における可動部あるいは配線板状部材の変位あるいは変形が生じても、切欠き係合部に係合した係合部が、その切欠き係合部から不所望に外れてしまう事態が回避される。その結果、係止部材が、絶縁ハウジングに差し込まれた配線板状部材を、絶縁ハウジングからの不所望な抜脱を阻止すべく安定に係止する。
【００３０】
上述のように、本発明に係るコネクタ装置によれば、絶縁ハウジングに板状部材差込み部を通じて差し込まれた配線板状部材についての絶縁ハウジングからの不所望な抜脱を阻止するための係止を、絶縁ハウジングの構造の複雑化や高精度化をまねくことなく、確実かつ安定に行なうことができることになる。
【図面の簡単な説明】
【００３１】
【図１】本発明に係るコネクタ装置の一例をそれに差し込まれるフレキシブル印刷配線基板の部分と共に示す斜視図である。
【図２】本発明に係るコネクタ装置の一例を示す断面図である。
【図３】本発明に係るコネクタ装置の一例が備える係止部材を示す斜視図である。
【図４】本発明に係るコネクタ装置の一例をそれに差し込まれたフレキシブル印刷配線基板の部分と共に示す斜視図である。
【図５】本発明に係るコネクタ装置の一例をそれに差し込まれたフレキシブル印刷配線基板の部分と共に示す断面図である。
【図６】本発明に係るコネクタ装置の一例をそれに差し込まれたフレキシブル印刷配線基板の部分と共に示す断面図である。
【図７】本発明に係るコネクタ装置の一例をそれに不適正に差し込まれたフレキシブル印刷配線基板の部分と共に示す断面図である。
【図８】本発明に係るコネクタ装置の一例をそれに不適正に差し込まれたフレキシブル印刷配線基板の部分と共に示す斜視図である。
【図９】図８における二点鎖線円IX内を拡大して示す部分斜視図である。
【図１０】フレキシブル印刷配線基板が差し込まれた本発明に係るコネクタ装置の一例における図９に示される部分に相当する部分を示す部分斜視図である。
【図１１】フレキシブル印刷配線基板が差し込まれた本発明に係るコネクタ装置の一例における図９に示される部分に相当する部分を示す部分斜視図である。
【発明を実施するための形態】
【００３２】
本発明を実施するための形態は、以下に述べられる本発明についての実施例をもって説明される。
【実施例】
【００３３】
図１は、本発明に係るコネクタ装置の一例をそれに差し込まれるフレキシブル印刷配線基板の部分と共に示し、また、図２は、本発明に係るコネクタ装置の一例の内部構造を示す。
【００３４】
図１において、本発明に係るコネクタ装置の一例を成すコネクタ装置１０は、合成樹脂等の絶縁材料によって形成された絶縁ハウジング１１を備えており、絶縁ハウジング１１には、その正面端縁部に板状部材差込み部１２が設けられている。絶縁ハウジング１１は、例えば、図示されていない主配線基板に配され、それにより、コネクタ装置１０の全体が主配線基板に取り付けられたものとされる。そして、板状部材差込み部１２を通じて、例えば、フレキシブル印刷配線基板２０が、配線板状部材を成すものとして、絶縁ハウジング１１の内部に差し込まれる。
【００３５】
フレキシブル印刷配線基板２０には、複数の第１の接続端子部２１と複数の第２の接続端子部２２とが配列配置されているとともに、その第１及び第２の接続端子部２１及び２２が配列配置された部分（以下、端子部分という。）における第１及び第２の接続端子部２１及び２２の配列方向の両側端縁部に、一対の切欠き係合部２３及び２４が、複数の第１及び第２の接続端子部２１及び２２を挟むようにして設けられている。
【００３６】
絶縁ハウジング１１には、図２に明瞭に示されるように、その内部に、各々が弾性導電材料で形成された複数の第１のコンタクト１３及び複数の第２のコンタクト１４が、交互に配列配置されて設けられている。複数の第１のコンタクト１３は、絶縁ハウジング１１の内部に、例えば、正面端縁部側から押圧挿入されたものとされ、また、複数の第２のコンタクト１４は、絶縁ハウジング１１の内部に、例えば、正面端縁部に対向する背面端縁部側から押圧挿入されたものとされる。
【００３７】
また、絶縁ハウジング１１における背面端縁部側には、複数の第１及び第２のコンタクト１３及び１４の配列方向に沿って伸びるアクチュエータ１５が、複数の第１及び第２のコンタクト１３及び１４により支持されて、絶縁ハウジング１１に対して回動可能に配されている。アクチュエータ１５は、図１に示されるような、絶縁ハウジング１１に対して起き上がった状態をとるものとされる位置を、第１の静止位置としてとることができ、また、後述される図１１に示されるような、絶縁ハウジング１１に対して伏した状態をとるものとされる位置を、第２の静止位置としてとることができる。そして、アクチュエータ１５は、第１の静止位置をとる状態から絶縁ハウジング１１に対して背面端縁部の外方側へと回動せしめられることにより、第１の静止位置から第２の静止位置への移行を行い、また、第２の静止位置をとる状態から絶縁ハウジング１１に対して正面端縁部に向う方向に回動せしめられることにより、第２の静止位置から第１の静止位置への移行を行うものとされている。
【００３８】
絶縁ハウジング１１内に配列配置されて設けられる複数の第１及び第２のコンタクト１３及び１４の夫々は、弾性導電材料で形成されていて、詳細図示が省略されているが、例えば、絶縁ハウジング１１に固定される固定部と、固定部に対して変位可能とされた可動部と、固定部の中間部分と可動部の中間部分とを連結する連結部とを有した、全体としてエ字状を成す板状部材とされている。そして、複数の第１及び第２のコンタクト１３及び１４の夫々における固定部は、絶縁ハウジング１１が配される主配線基板に設けられた印刷配線部に、例えば、半田付けにより接続される。
【００３９】
絶縁ハウジング１１に対して回動可能に配されたアクチュエータ１５には、詳細図示が省略されているが、例えば、絶縁ハウジング１１における背面端縁部側に配された仮想回動軸部を成す一端部に、複数のカム部が設けられており、これらの複数のカム部が、複数の第１及び第２のコンタクト１３及び１４に、それらの各々における固定部の一端部分と可動部の一端部分とにより挟まれて、夫々係合するものとされている。このように、複数のカム部が、複数の第１及び第２のコンタクト１３及び１４に、それらの各々における固定部の一端部分と可動部の一端部分とにより挟まれて、夫々係合していることにより、アクチュエータ１５についての、複数の第１及び第２のコンタクト１３及び１４により支持されて、絶縁ハウジング１１に対して回動可能に配される状態が得られている。
【００４０】
アクチュエータ１５が第１の静止位置におかれるもとにおいては、アクチュエータ１５に設けられた複数のカム部の夫々が、複数の第１及び第２のコンタクト１３及び１４のうちの対応するものにおける可動部に、可動部の他端部と固定部の他端部とが絶縁ハウジング１１の正面端縁部に設けられた板状部材差込み部１２側において形成する相互間隔が、板状部材差込み部１２を通じて絶縁ハウジング１１に差し込まれる配線板状部材を成すフレキシブル印刷配線基板２０の厚みより大である比較的大なるものとされる位置を維持させる。
【００４１】
また、絶縁ハウジング１１には、それにおける複数の第１及び第２のコンタクト１３及び１４の配列方向の両側縁部の内部に、一対の係止部材１７及び１８が、複数の第１及び第２のコンタクト１３及び１４を挟むようにして配されている。これらの係止部材１７及び１８の夫々は、例えば、金属弾性材料によって、絶縁ハウジング１１とは別体に形成されている。
【００４２】
図３に示されるように、係止部材１７は、絶縁ハウジング１１に固定される固定部３０とビーム状体を成す可動部３１と可動部３１を固定部３０に連結する連結部３２とを有するものとされている。固定部３０にあっては、一端部に、絶縁ハウジング１１に係止される係止部３０ａが設けられているとともに、他端部に、絶縁ハウジング１１が配される主配線基板における半田付け部に半田付け接続されて、コネクタ装置１０の主配線基板への取付けに貢献する接続部３０ｂが設けられている。係止部３０ａは、固定部３０における一端部と他端部との間の位置に設けられてもよく、また、固定部３０からその厚み方向に突出するものとされてもよい。また、ビーム状体を成す可動部３１にあっては、一端部に絶縁ハウジング１１に差し込まれたフレキシブル印刷配線基板２０における切欠き係合部２３との係合状態をとる係合部３３が設けられるとともに、他端部が自由端部３４とされている。そして、係合部３３は、板状部材差込み部１２を通じて絶縁ハウジング１１に差し込まれるフレキシブル印刷配線基板２０における端子部分の側端縁部に当接して、当該フレキシブル印刷配線基板２０に対する絶縁ハウジング１１への差込み案内を行う傾斜面を成す案内面３３ａを有している。さらに、連結部３２は、ビーム状体を成す可動部３１の係合部３３と自由端部３４との間となる部分を、固定部３０に連結している。
【００４３】
このような係止部材１７は、その固定部３０が絶縁ハウジング１１に固定されたもとで、可動部３１が、連結部３２を支点にして係合部３３と自由端部３４とを絶縁ハウジング１１に差し込まれたフレキシブル印刷配線基板２０の板面に沿う方向において互いに逆向きに変位させる回動を行い得る状態におかれる。
【００４４】
係止部材１８も係止部材１７と同様に形成されたものとされる。そして、係止部材１８には、係止部材１７における固定部３０，可動部３１及び連結部３２に夫々対応する固定部３５（図２），可動部３６（図２）及び連結部を有し、固定部３５には、係止部材１７における固定部３０に設けられる係止部３０ａ及び接続部３０ｂに夫々対応する係止部及び接続部が設けられており、また、可動部３６にあっては、その一端部に、係止部材１７における係合部３３に対応し、絶縁ハウジング１１に差し込まれたフレキシブル印刷配線基板２０における切欠き係合部２４との係合状態をとる係合部３７（図２）が設けられるとともに、他端部が、係止部材１７における自由端部３４に対応する自由端部３８（図２）とされている。係合部３７は、係止部材１７における案内面３３ａに対応する案内面３７ａを有している。
【００４５】
このような係止部材１８も、その固定部３５が絶縁ハウジング１１に固定されたもとで、可動部３６が、連結部を支点にして係合部３７と自由端部３８とを絶縁ハウジング１１に差し込まれたフレキシブル印刷配線基板２０の板面に沿う方向において互いに逆向きに変位させる回動を行い得る状態におかれる。
【００４６】
上述のようなコネクタ装置１０の絶縁ハウジング１１に、その正面端縁部に設けられた板状部材差込み部１２を通じてフレキシブル印刷配線基板２０が差し込まれるにあたっては、コネクタ装置１０に備えられたアクチュエータ１５が、図 1に示されるように、第１の静止位置をとる状態におかれる。そして、アクチュエータ１５が第１の静止位置をとる状態におかれたもとで、フレキシブル印刷配線基板２０が絶縁ハウジング１１に板状部材差込み部１２を通じて差し込まれる。それにより、絶縁ハウジング１１への差込みが完了したフレキシブル印刷配線基板２０は、図４に示されるような状態におかれる。
【００４７】
フレキシブル印刷配線基板２０が図４に示されるような状態におかれるにあたっては、先ず、図５に示されるように、フレキシブル印刷配線基板２０の端子部分が、板状部材差込み部１２を通じて、絶縁ハウジング１１に差し込まれ、フレキシブル印刷配線基板２０の端子部分における両側端縁部に、絶縁ハウジング１１内に配された係止部材１７における係合部３３が有する案内面３３ａ及び絶縁ハウジング１１内に配された係止部材１８における係合部３７が有する案内面３７ａが、夫々当接する状態がとられる。斯かる状態のもとでは、フレキシブル印刷配線基板２０の端子部分の絶縁ハウジング１１内への更なる差込みに伴って、係止部材１７における係合部３３及び係止部材１８における係合部３７が、フレキシブル印刷配線基板２０の端子部分における両側端縁部によって、フレキシブル印刷配線基板２０の板面に沿う方向において互いに遠ざかる向きをもって変位せしめられるとともに、係合部３３が有する案内面３３ａ及び係合部３７が有する案内面３７ａが、フレキシブル印刷配線基板２０の端子部分における両側端縁部を夫々案内し、フレキシブル印刷配線基板２０の端子部分を絶縁ハウジング１１の内部へと進ませる。
【００４８】
係止部材１７における係合部３３及び係止部材１８における係合部３７のフレキシブル印刷配線基板２０の板面に沿う方向における互いに遠ざかる向きをもっての変位は、係止部材１７において、その固定部３０が絶縁ハウジング１１に固定されたもとで、可動部３１に、連結部３２を支点にして係合部３３と自由端部３４とをフレキシブル印刷配線基板２０の板面に沿う方向において互いに逆向きに変位させる回動を行わせ、また、係止部材１８において、その固定３５が絶縁ハウジング１１に固定されたもとで、可動部３６に、連結部を支点にして係合部３７と自由端部３８とをフレキシブル印刷配線基板２０の板面に沿う方向において互いに逆向きに変位させる回動を行わせる。それにより、係止部材１７における自由端部３４及び係止部材１８における自由端部３８が、フレキシブル印刷配線基板２０の板面に沿う方向において互いに近付く向きをもって変位し、フレキシブル印刷配線基板２０の絶縁ハウジング１１への挿入前の位置である元の位置から移動した位置をとる。
【００４９】
続いて、フレキシブル印刷配線基板２０の端子部分が、さらに絶縁ハウジング内１１の内部に差し込まれると、図６に示されるように、絶縁ハウジング１１内に配された係止部材１７における係合部３３が、フレキシブル印刷配線基板２０の端子部分における側端縁部に設けられた切欠き係合部２３に係合するとともに、絶縁ハウジング１１内に配された係止部材１８における係合部３７が、フレキシブル印刷配線基板２０の端子部分における側端縁部に設けられた切欠き係合部２４に係合する。斯かる際には、係止部材１７における係合部３３及び係止部材１８における係合部３７が、フレキシブル印刷配線基板２０の板面に沿う方向において互いに近付く向きをもって変位して、切欠き係合部２３及び２４に夫々係合する。
【００５０】
係止部材１７における係合部３３及び係止部材１８における係合部３７のフレキシブル印刷配線基板２０の板面に沿う方向における互いに近付く向きをもっての変位も、係止部材１７において、その固定部３０が絶縁ハウジング１１に固定されたもとで、可動部３１に、連結部３２を支点にして係合部３３と自由端部３４とをフレキシブル印刷配線基板２０の板面に沿う方向において互いに逆向きに変位させる回動を行わせ、また、係止部材１８において、その固定３５が絶縁ハウジング１１に固定されたもとで、可動部３６に、連結部を支点にして係合部３７と自由端部３８とをフレキシブル印刷配線基板２０の板面に沿う方向において互いに逆向きに変位させる回動を行わせる。それにより、係止部材１７における自由端部３４及び係止部材１８における自由端部３８が、フレキシブル印刷配線基板２０の板面に沿う方向において互いに遠ざかる向きをもって変位し、元の位置に戻る。
【００５１】
このようにして、各々が絶縁ハウジング１１とは別体に形成されて絶縁ハウジング１１内に配され、フレキシブル印刷配線基板２０の端子部分における両側端縁部に設けられた切欠き係合部２３及び２４に夫々係合した状態をとる係止部材１７及び１８は、絶縁ハウジング１１に差し込まれたフレキシブル印刷配線基板２０を適正に係止して、当該フレキシブル印刷配線基板２０の絶縁ハウジング１１からの不所望な抜脱を阻止する。その際、係合部３３は、フレキシブル印刷配線基板２０における切欠き係合部２３に、フレキシブル印刷配線基板２０の板面に平行な方向、即ち、フレキシブル印刷配線基板２０の厚み方向に直交する方向において係合し、また、係合部３７も、フレキシブル印刷配線基板２０における切欠き係合部２４に、フレキシブル印刷配線基板２０の板面に平行な方向、即ち、フレキシブル印刷配線基板２０の厚み方向に直交する方向において係合する。それゆえ、係合部３３の切欠き係合部２３との係合及び係合部３７の切欠き係合部２４との係合が、十分な係合長をもって行われ、例えば、係止部材１７における可動部３１，係止部材１８における可動部３６、あるいは、フレキシブル印刷配線基板２０の端子部分の変位あるいは変形が生じても、切欠き係合部２３に係合した係合部３３が切欠き係合部２３から不所望に外れてしまう事態、あるいは、切欠き係合部２４に係合した係合部３７が切欠き係合部２４から不所望に外れてしまう事態が回避される。その結果、絶縁ハウジング１１の構造の複雑化や高精度化をまねくことなく、係止部材１７及び１８による、絶縁ハウジング１１に差し込まれたフレキシブル印刷配線基板２０についての絶縁ハウジング１１からの不所望な抜脱を阻止することになる係止が、確実かつ安定に行われることになる。
【００５２】
上述のように、絶縁ハウジング１１に差し込まれたフレキシブル印刷配線基板２０が係止部材１７及び１８によって適正に係止されたもとで、第１の静止位置をとる状態におかれたアクチュエータ１５が、第１の静止位置から第２の静止位置へと移行すべく絶縁ハウジング１１に対して背面端縁部の外方側へと回動せしめられると、アクチュエータ１５に設けられた複数のカム部が、複数の第１及び第２のコンタクト１３及び１４の夫々における可動部に、絶縁ハウジング１１に差し込まれたフレキシブル印刷配線基板２０の端子部分に配列配置された複数の第１及び第２の接続端子部２１及び２２のうちの対応するものに対する押圧接触状態をとらせる。それにより、複数の第１及び第２のコンタクト１３及び１４が、絶縁ハウジング１１に差し込まれたフレキシブル印刷配線基板２０の端子部分に配列配置された複数の第１及び第２の接続端子部２１及び２２に夫々電気的に接続され、その結果、絶縁ハウジング１１に差し込まれたフレキシブル印刷配線基板２０の端子部分に配列配置された複数の第１及び第２の接続端子部２１及び２２が、コネクタ装置１０を介して、絶縁ハウジング１１が配される主配線基板に設けられた印刷配線部に電気的に連結されることになる。
【００５３】
その後、第２の静止位置をとる状態におかれたアクチュエータ１５が、第２の静止位置から第１の静止位置へと移行すべく絶縁ハウジング１１に対して正面端縁部に向かう方向に回動せしめられると、アクチュエータ１５に設けられた複数のカム部が、複数の第１及び第２のコンタクト１３及び１４の夫々における可動部３１及び３６を、絶縁ハウジング１１に差し込まれたフレキシブル印刷配線基板２０の端子部分に配列配置された複数の第１及び第２の接続端子部２１及び２２のうちの対応するものに対する押圧接触状態から解放する。それにより、複数の第１及び第２のコンタクト１３及び１４が、絶縁ハウジング１１に差し込まれたフレキシブル印刷配線基板２０の端子部分に配列配置された複数の第１及び第２の接続端子部２１及び２２との電気的接続を断ち、フレキシブル印刷配線基板２０が絶縁ハウジング１１から意図的に抜脱され得る状態におかれる。
【００５４】
アクチュエータ１５が第１の静止位置をとるもとで、フレキシブル印刷配線基板２０が絶縁ハウジング１１に差し込まれるにあたり、フレキシブル印刷配線基板２０の板状部材差込み部１２を通じた絶縁ハウジング１１への差込みが適正に行われない場合も生じ得る。斯かる場合は、例えば、図７に示されるように、絶縁ハウジング１１内に配された係止部材１８における可動部３６に設けられた係合部３７は、フレキシブル印刷配線基板２０の端子部分における側端縁部に設けられた切欠き係合部２４に係合した状態におかれるが、絶縁ハウジング１１内に配された係止部材１７における可動部３１に設けられた係合部３３が、フレキシブル印刷配線基板２０の端子部分における側端縁部に設けられた切欠き係合部２３に係合しない状態におかれ、その結果、絶縁ハウジング１１に差し込まれたフレキシブル印刷配線基板２０が係止部材１７及び１８によって適正に係止されないことになる。
【００５５】
図７に示されるようにして、絶縁ハウジング１１に差し込まれたフレキシブル印刷配線基板２０が係止部材１７及び１８によって適正に係止されない状態におかれるときには、絶縁ハウジング１１内に配された係止部材１７における係合部３３が、フレキシブル印刷配線基板２０の端子部分における側端縁部に設けられた切欠き係合部２３に係合せず、フレキシブル印刷配線基板２０の端子部分における側端縁部の切欠き係合部２３外の部分に当接して、元の位置から、フレキシブル印刷配線基板２０の板面に沿う方向において係止部材１８における係合部３７から遠ざかる向きをもって変位した位置におかれる。斯かる係止部材１７における係合部３３の変位は、係止部材１７における可動部３１に、固定部３０が絶縁ハウジング１１に固定されたもとで、連結部３２を支点にして係合部３３と自由端部３４とをフレキシブル印刷配線基板２０の板面に沿う方向において互いに逆向きに変位させる回動を行わせる。それにより、係止部材１７における自由端部３４が、フレキシブル印刷配線基板２０の板面に沿う方向において係止部材１８における自由端部３８に近付く向きをもって変位した位置におかれる。
【００５６】
このようにして、フレキシブル印刷配線基板２０の板面に沿う方向において係止部材１８における自由端部３８に近付く向きをもって変位した位置におかれる、係止部材１７における自由端部３４は、図８及び図８における二点鎖線円IX内を拡大して示す図９に示されるように、アクチュエータ１５における、複数の第１及び第２のコンタクト１３及び１４の配列方向における両端部に夫々に設けられた一対の切欠き部１５ａのうちの一方に、係合する。そして、アクチュエータ１５に設けられた切欠き部１５ａに係合した自由端部３４は、アクチュエータ１５の回動を阻止する。
【００５７】
従って、斯かるもとでは、アクチュエータ１５は、第１の静止位置から第２の静止位置へと移行させるべく絶縁ハウジング１１に対して背面端縁部の外方側へと回動させることができない状態におかれる。このように、アクチュエータ１５が第１の静止位置から第２の静止位置へと移行させるべく回動させることができないものとされることにより、絶縁ハウジング１１に差し込まれたフレキシブル印刷配線基板２０が絶縁ハウジング１１内に配された係止部材１７及び１８によって適正に係止されていない状態にあることを認識することができ、また、フレキシブル印刷配線基板２０の板状部材差込み部１２を通じた絶縁ハウジング１１への差込みが適正に行われていないもとで、アクチュエータ１５により、絶縁ハウジング１１内に配列配置された複数の第１及び第２のコンタクト１３及び１４の夫々における可動部が、絶縁ハウジング１１に差し込まれたフレキシブル印刷配線基板２０の端子部分に押圧接触せしめられる事態を回避することができる。
【００５８】
なお、絶縁ハウジング１１内に配された係止部材１８における可動部３６に設けられた係合部３７が、フレキシブル印刷配線基板２０の端子部分における側端縁部に設けられた切欠き係合部２４に係合しない状態におかれ、その結果、絶縁ハウジング１１に差し込まれたフレキシブル印刷配線基板２０が係止部材１７及び１８によって適正に係止されないことになる場合には、係止部材１８における可動部３６が、係止部材１７における係合部３３がフレキシブル印刷配線基板２０に設けられた切欠き係合部２３に係合しない状態におかれる上述の場合のもとでの係止部材１７における可動部３１と同様の回動を生じて、係止部材１８における可動部３６の自由端部３８が、アクチュエータ１５に設けられた一対の切欠き部１５ａのうちの他方に係合する。そして、アクチュエータ１５に設けられた切欠き部１５ａに係合した自由端部３８が、アクチュエータ１５の回動を阻止する。
【００５９】
因みに、アクチュエータ１５が第１の静止位置をとるもとで、フレキシブル印刷配線基板２０の板状部材差込み部１２を通じた絶縁ハウジング１１への差込みが適正に行われた場合には、コネクタ装置１０における図９に示される部分に対応する部分を示す図１０に示されるように、絶縁ハウジング１１内に配された係止部材１７における可動部３１の自由端部３４が、アクチュエータ１５に設けられた一対の切欠き部１５ａのうちの一方に係合することなく、アクチュエータ１５の端部から外れた位置におかれる。同様に、絶縁ハウジング１１内に配された係止部材１８における可動部３６の自由端部３８も、アクチュエータ１５に設けられた一対の切欠き部１５ａのうちの他方に係合することなく、アクチュエータ１５の端部から外れた位置におかれる。
【００６０】
それにより、アクチュエータ１５は、その回動が係止部材１７における可動部３１の自由端部３４及び係止部材１８における可動部３６の自由端部３８のいずれによっても、その回動が阻止されない状態におかれ、第１の静止位置から第２の静止位置へと移行させるべく絶縁ハウジング１１に対して背面端縁部の外方側へと回動させて、図１１に示されるように、第２の静止位置をとるものとすることができる。勿論、その後、第２の静止位置をとる状態におかれたアクチュエータ１５を、第２の静止位置から第１の静止位置へと移行すべく絶縁ハウジング１１に対して正面端縁部に向かう方向に回動させることもできる。
【００６１】
上述のような図１及び図２に示されるコネクタ装置１０によれば、前述のようにして、絶縁ハウジング１１の構造の複雑化や高精度化をまねくことなく、絶縁ハウジング１１内に配された係止部材１７及び１８による、絶縁ハウジング１１に板状部材差込み部１２を通じて差し込まれたフレキシブル印刷配線基板２０についての絶縁ハウジング１１からの不所望な抜脱を阻止することになる係止を、確実かつ安定に行うことができるとともに、アクチュエータ１５が第１の静止位置をとるもとで、絶縁ハウジング１１に差し込まれたフレキシブル印刷配線基板２０が絶縁ハウジング１１内に配された係止部材１７及び１８によって適正に係止されていない状態にあることを、アクチュエータ１５の回動が阻止されていることをもって認識することができ、さらに、フレキシブル印刷配線基板２０の板状部材差込み部１２を通じた絶縁ハウジング１１への差込みが適正に行われていないもとで、絶縁ハウジング１１内に配列配置された複数の第１及び第２のコンタクト１３及び１４の夫々における可動部が、絶縁ハウジング１１に差し込まれたフレキシブル印刷配線基板２０の端子部分に押圧接触せしめられる事態を回避することができる。
【産業上の利用可能性】
【００６２】
以上のような本発明に係るコネクタ装置は、例えば、フレキシブル印刷配線基板等とされる配線板状部材の主配線基板への取付けに用いられる、板状部材差込み部が設けられた絶縁ハウジングと、絶縁ハウジング内に配列配置されて設けられる複数のコンタクトと、絶縁ハウジングに対して回動可能に設けられ、複数のコンタクトに絶縁ハウジングに差し込まれた配線板状部材における複数の接続端子部に対する押圧接触状態とその押圧接触状態から解放された状態とを選択的にとらせるアクチュエータと、を備えたコネクタ装置であって、絶縁ハウジングに差し込まれた配線板状部材についての絶縁ハウジングからの不所望な離脱を阻止するための係止を、絶縁ハウジングの構造の複雑化や高精度化をまねくことなく、確実かつ安定に行なうことができることになるものとして、様々な電子機器等に広く適用され得るものである。
【符号の説明】
【００６３】
１０・・・コネクタ装置，  １１・・・絶縁ハウジング，  １２・・・板状部材差込み部，  １３・・・第１のコンタクト，  １４・・・第２のコンタクト，  １５・・・アクチュエータ，  １５ａ・・・切欠き部，  １７，１８・・・係止部材，  ２０・・・フレキシブル印刷配線基板，  ２１・・・第１の接続端子部，  ２２・・・第２の接続端子部，  ２３，２４・・・切欠き係合部，  ３０，３５・・・固定部，  ３１，３６・・・可動部，  ３２・・・連結部，  ３３，３７・・・係合部，  ３４，３８・・・自由端部
【図１】
2011060459.tif 000003
【図２】
2011060459.tif 000004
【図３】
2011060459.tif 000005
【図４】
2011060459.tif 000006
【図５】
2011060459.tif 000007
【図６】
2011060459.tif 000008
【図７】
2011060459.tif 000009
【図８】
2011060459.tif 000010
【図９】
2011060459.tif 000011
【図１０】
2011060459.tif 000012
【図１１】
2011060459.tif 000013